(57)【要約】【課題】施工作業時に施工面に対して固定され、施工性に優れた防水シート及びこの防水シートを用いた施工方法を提供する。【解決手段】防水シート１は、複数の孔２ａを有する開口シート２、水に対する非透過性を有する合成樹脂フィルム５、開口シート２と合成樹脂フィルム５との間に設けられ、繊維を材料としてメッシュ状に形成されている繊維基材３及び粘着性を有する粘着層４を積層してなる。粘着層４は、開口シート２と、繊維基材３と、合成樹脂フィルム５とを粘着して一体化すると共に、開口シート２の孔２ａを介して施工面に粘着するので、防水シート１は全体として施工面に固定される。また、開口シート２の孔以外の部分２ｂは施工面と密着しないので、開口シート２の孔以外の部分２ｂと施工面との間に通気路が確保される。従って、施工面からの水蒸気等に起因する塗膜の膨れ現象が防止される。【選択図】  図１
2010001617.tif 000002
【特許請求の範囲】
【請求項１】
複数の孔を有する開口シートと、
水に対する非透過性を有する合成樹脂フィルムと、
前記開口シートと前記合成樹脂フィルムとの間に設けられ、繊維を材料としてメッシュ状に形成されている繊維基材と、
前記開口シートと前記合成樹脂フィルムとの間に設けられ、粘着性を有する粘着層と
を積層してなることを特徴とする防水シート。
【請求項２】
前記合成樹脂フィルムは、ポリエチレンテレフタラートからなることを特徴とする請求項１に記載の防水シート。
【請求項３】
前記合成樹脂フィルムの外側面は、ウレタン系の合成樹脂を材料とするインキによりコーティングされていることを特徴とする請求項１または２に記載の防水シート。
【請求項４】
前記繊維基材は、ガラス繊維を材料として形成されていることを特徴とする請求項１〜３のいずれか１項に記載の防水シート。
【請求項５】
前記粘着層は、ブチルゴムからなることを特徴とする請求項１〜４のいずれか１項に記載の防水シート。
【請求項６】
前記開口シート、前記繊維基材、前記粘着層及び前記合成樹脂フィルムの順に積層してなることを特徴とする請求項１〜５のいずれか１項に記載の防水シート。
【請求項７】
前記開口シートは、不織布からなることを特徴とする請求項１〜６のいずれか１項に記載の防水シート。
【請求項８】
前記開口シートの孔は、該孔の孔径が５ｍｍ以上３００ｍｍ以下であることを特徴とする請求項１〜７のいずれか１項に記載の防水シート。
【請求項９】
請求項１〜８のいずれか１項に記載の防水シートを用いて、施工対象に防水性を与える防水施工方法であって、
前記開口シートを前記施工対象の施工面に向けるように前記防水シートを前記施工対象に貼り付ける防水シート貼付工程と、
前記防水シート上に合成樹脂からなる塗料を用いて塗装する塗装工程と
を備えることを特徴とする防水施工方法。
【発明の詳細な説明】
【技術分野】
【０００１】
本発明は、防水施工に用いられる防水シート及び当該防水シートを用いた防水施工方法に関する。
【背景技術】
【０００２】
建物の屋上等の防水施工の方法として、塗膜を補強すると共に、塗膜面における所謂膨れ現象を防止する通気路を確保するために、不織布、フィルム及びメッシュ基材等からなるシートを施工面に設置し、その上に防水塗膜を形成する方法が用いられている。例えば、特許文献１には、多数の開口を備えた樹脂フィルムと、網状体と、不織布とを一体に積層してなる防水塗膜用シートが記載されている。また、特許文献２には、多数の孔を有すると共に、片面に不織布が接合された非透湿性フィルムからなる防水施工用シートが記載されている。さらに、特許文献３には、不織布と合成樹脂フィルムとを積層してなる防水施工用のシートが記載されている。
【特許文献１】特開２００７−２１１４６７号公報
【特許文献２】特開２００４−２２５４３４号公報
【特許文献３】特開２００７−２１０２８６号公報
【発明の開示】
【発明が解決しようとする課題】
【０００３】
防水施工用のシートを用いた防水施工においては、まず、シートが施工面に設置される。特許文献１〜３に記載されている防水施工用のシートでは、シート自体は、施工面に対する接着性を備えていない。このため、これらのシートは、接着剤により施工面に固定されたり、シート上に形成された塗膜が開口等を介して施工面と密着することにより施工面に固定される。このため、シート設置の作業が煩雑であったり、施工作業中にシートにずれ、破れ等が発生しやすかった。
【０００４】
本発明は、以上の問題点に鑑みてなされたものであり、施工作業時に施工面に対して固定され、施工性に優れた防水シート及びこの防水シートを用いた施工方法を提供することを目的とする。
【課題を解決するための手段】
【０００５】
本発明に係る防水シートは、複数の孔を有する開口シートと、水に対する非透過性を有する合成樹脂フィルムと、開口シートと合成樹脂フィルムとの間に設けられ、繊維を材料としてメッシュ状に形成されている繊維基材と、開口シートと合成樹脂フィルムとの間に設けられ、粘着性を有する粘着層とを積層してなることを特徴とする。
【０００６】
本発明の防水シートは、開口シートを施工面に向けて設置される。このとき、粘着層は、開口シートと、繊維基材と、合成樹脂フィルムとを粘着して一体化すると共に、開口シートの孔を介して、施工面に粘着する。このため、防水シートは、全体として施工面に固定される。従って、施工性が向上される。また、繊維基材が開口シートと合成樹脂フィルムとの間に設けられているので、防水シートの剛性が向上されると共に、しわの発生が防止される。さらに、防水シートは、開口シートの孔の部分から染み出した粘着層により施工面と密着するが、開口シートの孔以外の部分は施工面と密着しない。このため、開口シートの孔以外の部分と施工面との間に通気路が形成される。従って、施工面から発生する水蒸気等に起因する塗膜の膨れ現象が防止される。また、施工面に向けられる開口シートの反対側に設けられた合成樹脂フィルムは、水に対する非透過性を有する。このため、施工作業中において降雨があった場合でも、防水シートの塗装面に水は染み込まない。従って、塗装面の乾燥を待つための作業の中断は発生せず、施工期間の短縮が図られる。
【０００７】
本発明に係る防水シートでは、合成樹脂フィルムは、ポリエチレンテレフタラートからなることが好ましい。防水シート上に塗膜を形成するための塗料として、不飽和ポリエステル樹脂やウレタン樹脂等を含む塗料が用いられる。不飽和ポリエステル樹脂を含む塗料は、例えばスチレン等からなる溶剤を含む。ポリエチレンテレフタラートは、耐溶剤性を有するので、塗料に含まれる溶剤による粘着層の劣化を防止することが可能となる。
【０００８】
本発明に係る防水シートでは、合成樹脂フィルムの外側面は、ウレタン系の合成樹脂を材料とするインキによりコーティングされていることが好ましい。この場合には、塗装面がウレタン系の合成樹脂に覆われるので、ウレタン樹脂を含む塗料を防水シート上に塗膜を形成するための塗料とした場合、防水シートとの接着性が向上される。
【０００９】
本発明に係る防水シートでは、繊維基材は、ガラス繊維を材料として形成されていることが好ましい。ガラス繊維は剛直性に優れているので、防水シートの剛性が一層向上される。
【００１０】
本発明に係る防水シートでは、粘着層は、ブチルゴムからなることが好ましい。ブチルゴムは、粘着性及び防水性を有すると共に、適度な強度を備えるので、粘着層の材料として好適である。
【００１１】
本発明に係る防水シートは、開口シート、繊維基材、粘着層及び合成樹脂フィルムの順に積層してなることが好ましい。繊維基材は開口シートに接して積層されているので、繊維基材の剛性により開口シートを補強することができる。また、粘着層は繊維基材の繊維間の隙間及び開口シートの孔を介して施工面に粘着されるので、防水シートを施工面に固定することができる。
【００１２】
本発明に係る防水シートでは、開口シートは、繊維基材との接着性、シートの孔あけ加工性、ブチルゴムなどの粘着層との積層などの点から、適度の剛性や耐熱性を有することが好ましい。開口シートは不織布やフイルムからなるが、この要求品質を満たすシートを経済的に得るという観点から不織布であることが好ましく、さらにポリラミネートした不織布であることが好ましい。
【００１３】
本発明に係る防水シートでは、開口シートの孔の孔径が５ｍｍ以上３００ｍｍ以下であることが好ましい。開口シートの孔の孔径が５ｍｍ以上であれば、この孔を介して粘着層が施工面に粘着することにより、良好な施工性が提供される。また、開口シートの孔の孔径が３００ｍｍ以下であれば、孔以外の部分と施工面との間には、十分な通気度を備えた通気路が形成される。
【００１４】
本発明に係る防水施工方法は、上記防水シートを用いて、施工対象に防水性を与える防水施工方法であって、開口シートを施工対象の施工面に向けるように防水シートを施工対象に貼り付ける防水シート貼付工程と、防水シート上に合成樹脂からなる塗料を用いて塗装する塗装工程とを備えることを特徴とする。
【００１５】
本発明の防水施工方法では、上記防水シートは、開口シートを接するように施工面に設置される。このとき、粘着層は、開口シートの孔を介して施工面に粘着するので、防水シートは、全体として施工面に固定される。従って、施工性が向上される。また、防水シートは、開口シートの孔の部分から染み出した粘着層により施工面と密着するが、開口シートの孔以外の部分は施工面と密着しない。このため、開口シートの孔以外の部分と施工面との間に通気路が確保される。従って、施工面から発生する水蒸気等に起因する膨れ現象が防止される。また、施工面と接する開口シートの反対側に設けられた合成樹脂フィルムは、水に対する非透過性を有する。このため、施工作業中において降雨があった場合でも、防水シートの塗装面に水は染み込まない。従って、塗装面の乾燥を待つための作業の中断は発生せず、施工期間の短縮が図られる。
【発明の効果】
【００１６】
本発明によれば、施工作業時に施工面に対して固定され、施工性に優れた防水シート及びこの防水シートを用いた施工方法を提供することが可能となる。
【発明を実施するための最良の形態】
【００１７】
以下、図面を参照して、本発明に係る防水シート及び防水施工方法の実施形態について詳細に説明する。なお、全図中、同一又は相当部分には同一符号を付すこととする。
【００１８】
図１は、本実施形態に係る防水シートの斜視図である。防水シート１は、開口シート２と、繊維基材３と、粘着層４と、合成樹脂フィルム５とからなり、この順に積層されている。また、図２は、防水シート１を防水施工対象の施工面に貼り付けた状態における断面図である。防水シート１は、開口シート２を施工対象１０の施工面１０ｃに向けて貼り付けられる。このとき、粘着層４は、開口シート２と、繊維基材３と、合成樹脂フィルム５とを粘着して一体化すると共に、開口シート２の孔２ａを介して、施工対象１０の施工面１０ａに粘着するので、防水シート１は、全体として施工面１０ｃに固定される。故に、施工中における防水シート１のしわ、施工面１０ｃとのずれが防止される。従って、施工性が向上される。
【００１９】
また、防水シート１は、開口シート２の孔２ａから染み出した粘着層４により施工面１０ｃと粘着し、開口シート２の孔以外の部分２ｂは施工面１０ｂと密着しない。このため、開口シート２の孔以外の部分２ｂと施工面１０ｂとの間に通気路が形成される。施工対象１０から発生する水蒸気等は、この通気路を経由して、防水シート１の適当な位置に設けられた貫通孔または施工範囲の外縁部から外部に放出される。従って、水蒸気等に起因する所謂膨れ現象が防止される。
【００２０】
開口シート２は、複数の孔２ａを有するシート状の基材である。開口シート２は、例えばポリエチレン製の有機繊維不織布または樹脂フィルムから成る。しかしながら、繊維基材３との接着性、シートの孔あけ加工性の観点から、開口シート２は不織布からなることが好ましい。さらに、開口シート２の表面は、孔あけ加工性を更に向上させるため、及び引き裂き強度を向上させるために、ポリエチレンラミネート加工が施されていることが好ましい。
【００２１】
引き裂き強度や柔軟性の点から、開口シート２の単位面積あたりの質量は、１０ｇ／ｍ２以上３０ｇ／ｍ２以下であることが好ましい。
【００２２】
図３は、開口シート２の平面形状を示した図である。開口シート２の孔２ａの形状は特に限定しないが、耐引き裂き性などの点から円形または略円形形状であることが好ましい。孔２ａの孔径ｒは、例えば５ｍｍ以上３００ｍｍ以下であることが好ましく、孔２ａの間隔ｄは、１０ｍｍ以上３００ｍｍ以下であることが好ましい。また、開口シート２全体の表面積に対する孔２ａの面積の割合（以下「開口率」と記す）は、２０％以上５０％以下であることが好ましい。孔２ａの孔径ｒが５ｍｍ以上、間隔ｄが３００ｍｍ以下及び開口率が２０％以上であるので、粘着層４が孔２ａを介して施工面１０ａに粘着することにより、防水シート１は、施工面１０ｃに十分に固定される。従って、良好な施工性が提供される。また、孔２ａの孔径ｒが３００ｍｍ以下、間隔ｄが１０ｍｍ以上及び開口率が５０％以下であるので、開口シート２の孔以外の部分２ｂと施工面１０ｂとの間には、十分な通気度を備えた通気路が形成される。さらに、孔２ａの孔径ｒは、１０ｍｍ以上２００ｍｍ以下であることが好ましく、１００ｍｍ程度であることが最適である。この場合には、一層良好な施工性が提供されると共に、より一層適切な通気度を備えた通気路が形成される。なお、本実施形態では、孔２ａの形状を円形としているが、方形等の他の形状であっても良い。なお、孔２ａの孔形状が円形である場合には、孔径ｒは、孔２ａの直径を示す。一方、孔２ａの孔形状が方形等の非円形形状である場合には、孔径ｒは、孔２ａと同面積の円の直径を示す。
【００２３】
繊維基材３は、複数方向に直線状に配置された連続繊維糸からなる織物または不織布であり、開口シート２と合成樹脂フィルム５との間に設けられている。繊維基材３は、繊維糸間に隙間を有するメッシュ状に形成されている。糸と糸との交差部は、例えばアクリル系の接着剤で繊維糸同士を接着されていることが好ましい。この接着により、繊維糸間の隙間３ａが保持される。
【００２４】
繊維基材３が織物である場合には、例えば絡み織、平織りといった織り方が例示される。また、繊維基材３に用いられる不織布は、繊維糸を例えば格子状に組み合わせ、繊維糸同士を接着剤で結合させた連続繊維不織布である。繊維糸の配置は格子状に限られず例えば３方向及び４方向の配置とすることができる。繊維糸間の間隔は、例えば１ｍｍ以上１０ｍｍ以下であることが好ましい。
【００２５】
繊維基材３の材料はガラス繊維であることが好ましい。ガラス繊維は剛直性に優れているので、繊維基材３が開口シート２と密着することにより、防水シート１の剛性が向上されると共に、しわの発生が防止される。
【００２６】
繊維基材３の繊維糸の番手は、引っ張り強度、柔軟性の観点から、例えば２２．５ｔｅｘ以上５７０ｔｅｘ以下であることが好ましい。２２．５ｔｅｘ未満であると所望の補強効果が得られないことがあり、５７０ｔｅｘを超えると施工しにくいことがある。なお、繊維糸の番手（ｔｅｘ）は、繊維糸の１０００ｍあたりの質量（グラム数）に相当する。繊維基材３の単位面積あたりの質量は、２０ｇ／ｍ２以上５００ｇ／ｍ２以下であることが好ましい。また、繊維基材３の全体の面積に対する繊維糸間の隙間３ａの面積の割合（以下「隙間率」と記す）は、５０％以上９０％以下であることが好ましい。隙間率が５０％以上であるので、粘着層４は、この隙間３ａを介して繊維基材３及び合成樹脂フィルム５を一体化すると共に、施工面１０ａに粘着することができる。また、隙間率が９０％以下であるので、防水シート１は十分な強度及び剛性を得ることができる。
【００２７】
粘着層４は、粘着性を有する材料からなり、開口シート２と合成樹脂フィルム５との間に設けられている。粘着層４は、開口シート２と、繊維基材３と、合成樹脂フィルム５とを粘着して一体化する。また、粘着層４は、開口シートの孔２ａ及び繊維基材３の繊維糸間の隙間３ａを介して、施工面１０ａに粘着する。この粘着により、防水シート１は、全体として施工面１０ｃに固定される。
【００２８】
粘着層４は、例えばブチルゴムからなる。ブチルゴムは、粘着性及び防水性を有すると共に、適度な強度を備えるので、粘着層４の材料として好適である。粘着層４の厚さは、０．５ｍｍ以上５．０ｍｍ以下であることが好ましい。厚さが０．５ｍｍ以上であるので、粘着層４は十分な粘着力を備えることができる。また、厚さが５．０ｍｍ以下であるので、防水シート１は、十分な粘着力を備えると共に、軽量に作成されることができる。また、厚さが５．０ｍｍ以上である場合には、防水シート１を巻体とすることが不可能であるので、施工性が低下する。
【００２９】
合成樹脂フィルム５は、水に対する非透過性を有するフィルム状のシートである。合成樹脂フィルム５が、防水シート１の一方の表面に設けられているので、粘着層４は表面に露出されない。従って、防水シート１を重ねた場合でも防水シート同士が粘着しないので、防水シート１を巻体として取り扱うことが可能となる。
【００３０】
防水シート１の他方の表面には開口シート２が設けられており、施工時においては、防水シート１は、開口シート２を施工面１０ｃに向けて設置される。合成樹脂フィルム５は、施工面１０ｃに向かう開口シート２の反対側に設けられているので、施工作業中において降雨があった場合でも、防水シート１の塗装面に水は染み込まない。従って、塗装面の乾燥を待つための作業の中断は発生せず、施工期間の短縮を図ることが可能となる。
【００３１】
合成樹脂フィルム５は、例えば樹脂フィルムからなることができる。この樹脂フィルムとしては、ポリエチレン、ポリエチレンテレフタラート等が例示される。防水シート１上に塗膜を形成するための塗料として、例えば不飽和ポリエステル樹脂を含む塗料が用いられる。この塗料は例えばスチレン等の溶剤を含む。ポリエチレンテレフタラートは耐溶剤性を有するので、塗料に含まれる溶剤による粘着層４の劣化を防止することが可能となる。
【００３２】
合成樹脂フィルム５の外側面は、例えばウレタン系の合成樹脂を材料とするインキによりコーティングされていてもよい。この場合には、防水シート１の塗装面がウレタン系の合成樹脂に覆われる場合、ウレタン樹脂を含む塗料と防水シート１との接着性が向上される。
【００３３】
すなわち、合成樹脂フィルム５がウレタン系の合成樹脂を材料とするインキによりコーティングされているポリエチレンテレフタラートフィルムであれば、防水シート上に塗膜を形成するための塗料として、不飽和ポリエステル樹脂やウレタン樹脂などいずれの樹脂であっても好適に適用可能である。
【００３４】
以上説明した本実施形態においては、防水シート１は、開口シート２、繊維基材３、粘着層４及び合成樹脂フィルム５の順に積層してなるとしたが、開口シート２及び合成樹脂フィルムがそれぞれ一方及び他方の表面に設けられていれば、積層の順は限定されない。例えば、防水シート１は、開口シート２、粘着層４、繊維基材３及び合成樹脂フィルム５の順に積層してなることができる。また、防水シート１は、開口シート２、繊維基材３、粘着層４、繊維基材３及び合成樹脂フィルム５の順に積層してなることができる。さらに、防水シート１は、開口シート２、粘着層４、繊維基材３、粘着層４及び合成樹脂フィルム５の順に積層してなることができる。
【００３５】
防水シート１を用いて施工対象に防水性を与える防水施工方法は、以下の手順で行われる。
【００３６】
まず、開口シート２を施工対象１０の施工面１０ｃに向けるように防水シート１を施工対象１０に貼り付ける。このとき、粘着層４は、繊維基材３の繊維糸間の隙間３ａ及び開口シート２の孔２ａを介して施工面１０ａに粘着するので、防水シート１は、全体として施工面１０ｃに固定される。このため、防水シート１のしわ及び施工面１０ｃに対するずれが防止される。従って、施工性が向上される。また、防水シート１は、開口シート２の孔２ａの部分から染み出した粘着層４により施工面１０ａと密着し、開口シート２の孔以外の部分２ｂは施工面１０ｂと密着しない。このため、開口シート２の孔以外の部分２ｂと施工面１０ｂとの間に通気路が確保される。従って、施工対象１０から発生する水蒸気等に起因する塗膜の膨れ現象が防止される。
【００３７】
次に、防水シート１上に合成樹脂からなる塗料を用いて塗装する。ここで、施工面１０ｃに向かう開口シート２の反対側には、合成樹脂フィルム５が設けられている。この合成樹脂フィルム５は、水に対する非透過性を有する。故に、施工作業中において降雨があった場合でも、防水シート１の塗装面に水は染み込まない。従って、塗装面の乾燥を待つための作業の中断は発生せず、施工期間の短縮が図られる。また、合成樹脂フィルム５の外側面にウレタン系の合成樹脂を材料とするインキによるコーティングが施されている場合には、ウレタン樹脂を含む塗料と防水シートとの接着性が向上される。
【図面の簡単な説明】
【００３８】
【図１】実施形態に係る本実施形態に係る防水シートの斜視図である。
【図２】防水シートを防水施工対象の施工面に貼り付けた状態における断面図である。
【図３】開口シートの平面形状を示した図である。
【符号の説明】
【００３９】
１…防水シート、２…開口シート、２ａ…孔、３…繊維基材、３ａ…隙間、４…粘着層、５…合成樹脂フィルム、１０…施工対象、１０ａ、１０ｂ、１０ｃ…施工面。
【図１】
2010001617.tif 000003
【図２】
2010001617.tif 000004
【図３】
2010001617.tif 000005